(57)【要約】【課題】長さ延長用部材のシャフト本体に対する回転が確実に阻止されると共に、長さを調節しても外観上の美観が良好な繊維強化樹脂製ゴルフクラブシャフト及びその長さ調節方法と、このゴルフクラブシャフトを有するゴルフクラブを提供する。【解決手段】シャフト本体２と、該シャフト本体２の後端側に外嵌された延長用部材３とを有するゴルフクラブシャフトであって、該延長用部材３のテーパ部３ｂの先端側の内周面が、前記シャフト本体２のテーパ部２ｄの外周面に係合しており、該延長用部材３の後端側の内周面及びシャフト本体２の後端の外周面に六角形部３ｃ，２ａが設けられており、これらの六角形部３ｃ，２ａ同士が係合していることを特徴とするゴルフクラブシャフト。【選択図】図２
2015097725.tif 000002
【特許請求の範囲】
【請求項１】
シャフト本体と、該シャフト本体の後端側に外嵌された延長用部材とを有するゴルフクラブシャフトであって、
該シャフト本体には、先端側に向って径が小さくなるテーパ部が設けられているゴルフクラブシャフトにおいて、
該延長用部材は、その先端側に、先端側ほど小径となるテーパ部が設けられており、該延長用部材のテーパ部の先端側の内周面が、前記シャフト本体のテーパ部の外周面に係合しており、
該延長用部材の後端側の内周面及びシャフト本体の後端部の外周面に多角形部が設けられており、これらの多角形部同士が係合していることを特徴とするゴルフクラブシャフト。
【請求項２】
請求項１において、前記延長用部材は、外周面が円筒形のストレート部と、該ストレート部の先端側に連なり、内径及び外径のいずれも先端側に向って小さくなるテーパ部とを有することを特徴とするゴルフクラブシャフト。
【請求項３】
請求項１又は２のゴルフクラブシャフトの長さを調節する方法であって、
前記延長用部材を長さの異なるものに交換することによりゴルフクラブシャフトの長さを変えることを特徴とするゴルフクラブシャフトの長さ調節方法。
【請求項４】
請求項３において、前記延長用部材の後端にエンドキャップが着脱可能に装着されており、延長用部材をシャフト本体から取り外すとき及び延長用部材をシャフト本体に装着するときにそれぞれエンドキャップを取り外しておき、延長用部材をシャフト本体の先端側から挿抜し、
延長用部材をシャフト本体に装着後、延長用部材にエンドキャップを装着することを特徴とするゴルフクラブシャフトの長さ調節方法。
【請求項５】
請求項１又は２のゴルフクラブシャフトの長さを調節する方法であって、
前記延長用部材のシャフト本体への係止位置を変えることによりゴルフクラブシャフトの長さを変えることを特徴とするゴルフクラブシャフトの長さ調節方法。
【請求項６】
請求項５において、前記シャフト本体のテーパ部の外周面と延長用部材の先端側の内周面との間に、スリ割りを有したテーパ形のストッパを介在させてあり、
該ストッパの位置を変えて延長用部材のシャフト本体への係止位置を変えることを特徴とするゴルフクラブシャフトの長さ調節方法。
【請求項７】
請求項１又は２のゴルフクラブシャフトと、該ゴルフクラブシャフトの先端がホゼル部に取り付けられたゴルフクラブヘッドとを有するゴルフクラブ。
【請求項８】
請求項７において、前記ゴルフクラブシャフトの先端にアタッチメントが固着されており、前記ホゼル部に対し該アタッチメントを介してゴルフクラブシャフトが着脱可能に取り付けられていることを特徴とするゴルフクラブ。
【請求項９】
請求項７又は８において、グリップ部材を装着した前記延長用部材の後端にエンドキャップが着脱可能に装着されており、該エンドキャップを取り外した状態で該延長用部材が前記シャフト本体に対して挿抜されることを特徴とするゴルフクラブ。
【発明の詳細な説明】
【技術分野】
【０００１】
本発明は、繊維強化樹脂製ゴルフクラブシャフトに係り、特に長さを調節することができるゴルフクラブシャフトに関する。また、本発明は、このゴルフクラブシャフトの長さ調節方法に関する。さらに、本発明は、このゴルフクラブシャフトを有するゴルフクラブに関する。
【背景技術】
【０００２】
ゴルフクラブシャフトは、いわゆるスチールシャフトとカーボンシャフトとに大別される。軽量性、設計自由度の高さ等の観点から、カーボンシャフトが広く用いられている。
【０００３】
カーボンシャフトは、カーボン繊維（炭素繊維）を主要繊維とした繊維強化樹脂よりなる。このカーボンシャフトの製造方法として、シートワインディング法が知られている。この製造方法では、マンドレル（芯金）にシート状のプリプレグを巻き付け、更にラッピングテープを巻き付けた後、プリプレグを加熱により硬化させた後、マンドレルを抜くことにより、内孔を有した中空管状のシャフトが製造される。
【０００４】
長さを調節可能としたゴルフクラブシャフトとして、特許文献１，２に記載のものがある。特許文献１には、シャフトを内シャフトと、該内シャフトに外嵌する筒状の外シャフトとで構成し、ねじキャップによって外シャフトを内シャフトに固定可能としたものが記載されている。特許文献１では、外シャフトが筒軸心回りに回転することを阻止するために、縦溝付きのガイド筒部を内シャフトに外嵌嵌着させ、外シャフト内周面に凸部を設けている。該凸部を該縦溝に係合させることにより、内シャフトと外シャフトの相互の回転動作が阻止される。
【０００５】
しかしながら、この構造では、外シャフト内周面に微小な凸部を形状精度よく形成することが難しく、特にカーボンシャフトに適用することは殆ど不可能である。
【０００６】
特許文献２には、シャフトの手元側（上端側）に四角棒状体を一体に設け、グリップ部材を該四角棒状体に差し込み、ピンによって抜止めを図るようにした長さ調節可能なゴルフクラブシャフトが記載されている。しかしながら、この特許文献２のゴルフクラブシャフトにあっては、四角棒状体がシャフトの本体部分よりも細くなっており、シャフトのたわみが手元側に集中して異様なしなり特性を示す。また、シャフト長さを大きくすべくグリップ部材の差し込みを浅くしたときには、四角棒状体が丸見えとなり、美観に著しく劣ったものとなる。さらに、このような四角棒状のシャフトはゴルフ規則に違反する。
【先行技術文献】
【特許文献】
【０００７】
【特許文献１】特開昭６０−９０５７８
【特許文献２】特開平４−３２７８６５
【発明の概要】
【発明が解決しようとする課題】
【０００８】
本発明は、シャフト本体に対し延長用部材を固定位置調節可能に取り付けたゴルフクラブシャフトであって、延長用部材のシャフト本体に対する回転が確実に阻止されると共に、長さを調節しても外観上の美観が良好な繊維強化樹脂製ゴルフクラブシャフト及びその長さ調節方法と、このゴルフクラブシャフトを有するゴルフクラブを提供することを目的とする。
【課題を解決するための手段】
【０００９】
本発明のゴルフクラブシャフトは、シャフト本体と、該シャフト本体の後端側に外嵌された延長用部材とを有するゴルフクラブシャフトであって、該シャフト本体には、先端側に向って径が小さくなるテーパ部が設けられているゴルフクラブシャフトにおいて、該延長用部材は、その先端側に、先端側ほど小径となるテーパ部が設けられており、該延長用部材のテーパ部の先端側の内周面が、前記シャフト本体のテーパ部の外周面に係合しており、該延長用部材の後端側の内周面及びシャフト本体の後端部の外周面に多角形部が設けられており、これらの多角形部同士が係合していることを特徴とする。
【００１０】
前記延長用部材は、外周面が円筒形のストレート部と、該ストレート部の先端側に連なり、内径及び外径のいずれも先端側に向って小さくなるテーパ部とを有することが好ましい。延長用部材の後端にエンドキャップが着脱可能に装着されていることが好ましい。
【００１１】
本発明のゴルフクラブシャフトの長さ調節方法の一態様は、前記延長用部材を長さの異なるものに交換することによりゴルフクラブシャフトの長さを変えることを特徴とする。延長用部材の後端にエンドキャップが着脱可能に装着されている場合には、エンドキャップを取り外して延長用部材をシャフト本体の先端側から挿抜して交換することが好ましい。また、延長用部材の交換後に延長用部材にエンドキャップを装着することが好ましい。
【００１２】
本発明のゴルフクラブシャフトの長さ調節方法の別の一態様は、前記延長用部材のシャフト本体への係止位置を変えることによりゴルフクラブシャフトの長さを変えることを特徴とする。この場合、前記シャフト本体のテーパ部の外周面と延長用部材の先端側の内周面との間に、スリ割りを有したテーパ形のストッパを介在させ、該ストッパの位置を変えて延長用部材のシャフト本体への係止位置を変えるようにしてもよい。
【００１３】
本発明のゴルフクラブは、本発明のゴルフクラブシャフトと、該ゴルフクラブシャフトの先端がホゼル部に取り付けられたゴルフクラブヘッドとを有する。
【発明の効果】
【００１４】
本発明のゴルフクラブシャフトは、シャフト本体と、このシャフト本体の後端側に外嵌された延長用部材とを有している。この延長用部材の後端側とシャフト本体の後端部に六角形部などの多角形部が設けられ、これら多角形部同士が係合することにより、延長用部材が強固に回り止めされる。延長用部材の先端側のテーパ部がシャフト本体の先端側のテーパ部に係合することにより、延長用部材の軸心方向の位置が固定される。
【００１５】
本発明の一態様では、この延長用部材を長さの異なるものに交換することにより、ゴルフクラブシャフトの長さを変える。延長用部材の後端にエンドキャップが着脱可能に装着されている場合、エンドキャップを取り外すことにより、延長用部材を容易に交換することができる。
【００１６】
本発明の別の一態様では、延長用部材の軸心方向の位置を変えることにより、ゴルフクラブシャフトの長さを調節する。この場合、延長用部材とシャフト本体との間にスリ割り付きのストッパを介在させておくことにより、延長用部材の位置を任意に変えてゴルフクラブシャフトの長さを任意に調節することができる。
【図面の簡単な説明】
【００１７】
【図１】第１の実施の形態に係るゴルフクラブシャフトの構成図である。
【図２】図１のII−II線断面図である。
【図３】図１のIII−III線断面図である。
【図４】図１のIV−IV線断面図である。
【図５】図１のＶ−Ｖ線断面図である。
【図６】第１の実施の形態に係るゴルフクラブシャフトの長さ調節説明図である。
【図７】第２の実施の形態に係るゴルフクラブシャフトの長さ調節説明図である。
【図８】第３の実施の形態に係るゴルフクラブシャフトの長さ調節説明図である。
【図９】第４の実施の形態に係るゴルフクラブシャフトの長さ調節説明図である。
【図１０】ゴルフクラブシャフトの組み付け説明図である。
【図１１】ゴルフクラブの一部断面図である。
【発明を実施するための形態】
【００１８】
以下、図面を参照して実施の形態について説明する。なお、各図において、シャフト本体及び延長用部材は長手方向の寸法が径方向の寸法に比べて短縮されて図示されている。
【００１９】
［第１の実施の形態］
図１〜６は本発明の第１の実施の形態に係るゴルフクラブシャフトの構成を示すものであり、図１〜図５及び図６（ａ），（ｂ）は長尺とされたゴルフクラブシャフトを示す。図６（ｃ），（ｄ）は中尺とされたゴルフクラブシャフトを示し、図６（ｅ），（ｆ）は短尺とされたゴルフクラブシャフトを示している。
【００２０】
図１の（ａ）図はゴルフクラブシャフト（以下、単にシャフトということがある。）の分解側面図、（ｂ）図はその断面図、（ｃ）図は延長用部材をシャフト本体に組み付けたときのシャフトの断面図である。図２〜５は図１（ｂ）のII−II線〜Ｖ−Ｖ線断面図である。図６（ａ），（ｂ）は長尺用の延長用部材とこの延長用部材を装着したゴルフクラブシャフトの断面図である。図６（ｃ），（ｄ）は中尺用の延長用部材とこの延長用部材を装着したゴルフクラブシャフトの断面図である。図６（ｅ），（ｆ）は短尺用の延長用部材とこの延長用部材を装着したゴルフクラブシャフトの断面図である。
【００２１】
このゴルフクラブシャフト１は、シャフト本体２と、該シャフト本体２に外嵌装着される延長用部材３とを有する。シャフト本体２及び延長用部材３はいずれも繊維強化樹脂製である。繊維としてはカーボン繊維を主要繊維とし、必要に応じアルミナ繊維、ガラス繊維など他の繊維も配合される。マトリックス樹脂としてはエポキシ樹脂等が用いられるが、これに限定されない。延長用部材３は、少なくとも一部がシャフト本体２に重なるところから、延長用部材３の剛性は過度に高くないことが望ましい。そのため、延長用部材３に使用する繊維は、剛性がシャフト本体２に使用する繊維と同等か又は低いものが良い。
【００２２】
シャフト本体２及び延長用部材３を製造するには、それぞれのマンドレルの表面に離型剤を塗布した後、シート状のプリプレグを巻回する。次いで、ラッピングテープを螺旋状に巻き付けた後、加熱による硬化処理を行う。次いで、マンドレルの引き抜き及びラッピングテープの除去を行い、硬化した管状体（素管）を得る。この素管の両端部が必要に応じ切断された後、研磨され、シャフト本体２又は延長用部材３とされる。
【００２３】
このシャフト本体２は、グリップ側が大径であり、ヘッド側が小径である。そして、該シャフト本体２のグリップエンド側は六角形部２ａであり、ヘッド側に向って順次に遷移部２ｂ、第１ストレート部２ｃ、テーパ部２ｄ、第２ストレート部２ｅとなっている。図３の通り、六角形部２ａの内面も六角形となっている。
【００２４】
ストレート部２ｃ，２ｅ及びテーパ部２ｄは内面、外面ともに円形断面である。遷移部２ｂは、六角形部２ａからストレート部２ｃにかけて徐々に円形となる断面形状を有する。ストレート部２ｃは六角形部２ａよりも細く、遷移部２ｂは六角形部２ａ側からストレート部２ｃ側にかけて徐々に細くなっている。
【００２５】
このシャフト本体２にあっては、グリップエンド側が、内孔も六角形の六角形部２ａとなっているので、グリップ側の座屈強度、衝撃強度、曲げ強度等の機械的強度が高い。この六角形部２ａのシャフト長手方向の長さを変えることにより、弾性率、重量バランス、調子等を種々変えたシャフト本体２を製造することができる。
【００２６】
このシャフト本体２にあっては、六角形部２ａとストレート部２ｃとの間に遷移部２ｂが設けられており、六角形部２ａからストレート部２ｃにかけて断面積が徐々に小さくなっている。このため、六角形部２ａとストレート部２ｃとの境界部に応力が集中することが防止される。
【００２７】
長尺用の延長用部材３は、ストレート部３ａとテーパ部３ｂとを有する。図３，４の通り、ストレート部３ａの外周面は全体として円筒形である。ストレート部３ａの内周面は、後部側（グリップエンド側）が六角形部３ｃであり、それと反対の前部側が円筒形部３ｄである。テーパ部３ｂは、内面及び外面のいずれもテーパ形であり、その断面形状は円形である。六角形部３ｃは、シャフト本体２の六角形部２ａにぴったりと嵌まる寸法となっている。
【００２８】
延長用部材３のテーパ部３ｂの内孔のテーパ角θ（図１（ｂ））は、シャフト本体２のテーパ部２ｄのテーパ角よりも大きい。テーパ部３ｂの先端側の内径ｄ１は、シャフト本体２のストレート部２ｃの外径よりも若干小さいが、ストレート部２ｅの外径よりも大きい。
【００２９】
図６（ａ），（ｃ），（ｅ）に長尺用延長用部材３、中尺用延長用部材３Ａ及び短尺用延長用部材３Ｂを並べて示す。中尺用及び短尺用延長用部材３Ａ，３Ｂもストレート部３ａとテーパ部３ｂとを有する。延長用部材３Ａ，３Ｂのストレート部３ａの形状及び長さｍ１は長尺用延長用部材３と同一である。延長用部材３Ａ，３Ｂのテーパ部３ｂは、長尺用延長用部材３のテーパ部３ｂとテーパ角θは同一であるが、長さが長尺用延長用部材３よりも大きくなっている。延長用部材３，３Ａ，３Ｂのテーパ部３ｂの長さをｐ１，ｐ２，ｐ３、各テーパ部３ｂの先端側の内径をｄ１，ｄ２，ｄ３とした場合、ｐ１＜ｐ２＜ｐ３であり、ｄ１＞ｄ２＞ｄ３である。
【００３０】
図６（ｂ），（ｄ），（ｆ）は、共通のシャフト本体２に対し図６（ａ），（ｃ），（ｅ）の延長用部材３，３Ａ又は３Ｂを装着したゴルフクラブシャフト１，１Ａ，１Ｂを示している。延長用部材３，３Ａ，３Ｂは六角形部３ｃがシャフト本体２の六角形部２ａに係合し、延長用部材３，３Ａ，３Ｂの先端側内周縁部がシャフト本体２のテーパ部２ｄに係合するようにシャフト本体２に外嵌装着される。延長用部材３，３Ａ，３Ｂの先端側内径がｄ１＞ｄ２＞ｄ３の関係にあるため、延長用部材３，３Ａ，３Ｂのシャフト本体２の後端からの突出長さが図６（ｂ）のゴルフクラブシャフト１において最も長く、図６（ｄ）のゴルフクラブシャフト１Ａがその次に長く、図６（ｆ）のゴルフクラブシャフト１Ｂでは延長用部材３Ｂはシャフト本体２の後端から全く又は殆ど突出しない。この結果、ゴルフクラブシャフト１，１Ａ，１Ｂの長さＬ１，Ｌ２，Ｌ３は、図６（ｂ），（ｄ），（ｆ）の通りＬ１＞Ｌ２＞Ｌ３となる。
【００３１】
このように、１本のシャフト本体２に対し３種類の延長用部材３，３Ａ，３Ｂを用意しておき、所望の延長用部材をシャフト本体２に装着することにより、長さが異なるゴルフクラブシャフト１，１Ａ又は１Ｂを構成することができる。いずれのゴルフクラブシャフト１，１Ａ，１Ｂも、延長用部材３，３Ａ，３Ｂの六角形部３ｃがシャフト本体２の六角形部２ａに係合しており、延長用部材３，３Ａ，３Ｂの回転方向の固定剛性が極めて高い。
【００３２】
なお、延長用部材３，３Ａ，３Ｂの少なくとも先端の内周面にゴム又はエラストマーのライニングを施しておき、延長用部材のシャフト長手方向への滑り移動を防止するようにしてもよい。後述の各延長用部材においても同様である。
【００３３】
［第２の実施の形態］
図７は第２の実施の形態に係るゴルフクラブシャフトを示すものであり、図７（ａ），（ｃ），（ｅ）は延長用部材３，３Ｃ，３Ｄの断面図、図７（ｂ）は図７（ａ）の延長用部材３をシャフト本体２に装着したゴルフクラブシャフト１の断面図、図７（ｄ）は図７（ｃ）の延長用部材３Ｃをシャフト本体２に装着したゴルフクラブシャフト１Ｃの断面図、図７（ｆ）は図７（ｅ）の延長用部材３Ｄをシャフト本体２に装着したゴルフクラブシャフト１Ｄの断面図である。
【００３４】
図７（ａ），（ｂ）の延長用部材３は上記実施の形態の延長用部材３と同一のものである。延長用部材３Ｃ，３Ｄのストレート部３ａは、その内周面及び外周面のいずれにおいても延長用部材３と同一断面形状であり、ストレート部３ａの長さｍ１及びテーパ部３ｂの長さｐ１も各延長用部材３，３Ｃ，３Ｄにおいて同一である。
【００３５】
延長用部材３Ｃは、テーパ部３ｂのテーパ角が延長用部材３よりも大きく、延長用部材３Ｄのテーパ角は延長用部材３Ｃのテーパ角よりもさらに大きい。これにより、延長用部材３，３Ｃ，３Ｄの先端側の内径ｄ１，ｄ４，ｄ５はｄ１＞ｄ４＞ｄ５の関係となっている。
【００３６】
図７の延長用部材３Ｃ，３Ｄのその他の構成及びシャフト本体２の構成は前記実施の形態と同一である。この実施の形態では、延長用部材３，３Ｃ，３Ｄの順に延長用部材先端側のシャフトテーパ部２ｄへの係止位置がシャフト先端側となり、延長用部材３，３Ｃ，３Ｄの順にシャフト本体２の後端からの突出長さが小さくなり、ゴルフクラブシャフト１，１Ｃ，１Ｄの全長Ｌ１，Ｌ４，Ｌ５の関係はＬ１＞Ｌ４＞Ｌ５となる。
【００３７】
［第３の実施の形態］
図８は第３の実施の形態に係るゴルフクラブシャフトを示すものであり、図８（ａ），（ｃ），（ｅ）は延長用部材３，３Ｅ，３Ｆの断面図、図８（ｂ）は図８（ａ）の延長用部材３をシャフト本体２に装着したゴルフクラブシャフト１の断面図、図８（ｄ）は図８（ｃ）の延長用部材３Ｅをシャフト本体２に装着したゴルフクラブシャフト１Ｃの断面図、図８（ｆ）は図８（ｅ）の延長用部材３Ｆをシャフト本体２に装着したゴルフクラブシャフト１Ｄの断面図である。
【００３８】
図８（ａ），（ｂ）の延長用部材３は上記実施の形態の延長用部材３と同一のものである。延長用部材３Ｅ，３Ｆのストレート部３ａは、その内周面及び外周面のいずれにおいても延長用部材３と同一断面形状であるが、ストレート部３ａの長さｍ１，ｍ２，ｍ３が延長用部材３，３Ｅ，３Ｆの順に短くなっている。即ち、ｍ１＞ｍ２＞ｍ３となっている。延長用部材３，３Ｅ，３Ｆは、テーパ部３ｂの長さｐ１及びテーパ角がいずれも同一であり、延長用部材３，３Ｅ，３Ｆの先端側の内径はすべてｄ１となっている。
【００３９】
図８の延長用部材３Ｃ，３Ｄのその他の構成及びシャフト本体２の構成は前記実施の形態と同一である。この実施の形態では、延長用部材３，３Ｅ，３Ｆの順に延長用部材の全長が小さくなっている。また、各延長用部材３，３Ｅ，３Ｆの先端側内径ｄ１が同一であるため、各延長用部材３，３Ｅ，３Ｆ先端側のシャフトテーパ部２ｄへの係止位置が同一である。このため、延長用部材３，３Ｅ，３Ｆの順にシャフト本体２の後端からの突出長さが小さくなり、ゴルフクラブシャフト１，１Ｅ，１Ｆの全長Ｌ１，Ｌ６，Ｌ７の関係はＬ１＞Ｌ６＞Ｌ７となる。
【００４０】
［第４の実施の形態］
上記各実施の形態では、いずれも３種類の延長用部材を用いることによりゴルフクラブシャフトの全長を３段階にわたって調節するよう構成しているが、図９（ａ），（ｂ），（ｃ）に示す第４の実施の形態では、図９（ｄ）に示すストッパ５をシャフト本体２と延長用部材３との間に介在させ、延長用部材３のシャフト本体２への係止位置を任意に調節可能としている。
【００４１】
このストッパ５は、テーパ筒形状であり、筒軸心方向に延在するスリ割り５ａを有している。このストッパ５は繊維強化樹脂製のものであるが、材質はこれに限定されず、金属等にて構成されてもよい。このストッパ５の内周面にはゴム又はエラストマーなどよりなる滑り止め用ライニングを施すのが好ましい。
【００４２】
径方向に力を加えていない状態におけるストッパ５の先端側の内径は、シャフト本体２のテーパ部２ｄの後部側の外径と同一以下であり、かつストレート部２ｅの外径よりも大きい。スリ割り５ａを設けてあるので、スリ割り５ａの幅を矢印Ｗ方向に大きくしたり小さくしたりすることができる。このため、ストッパ５はシャフト本体２のテーパ部２ｄに外嵌させ、任意の位置に配置することができる。
【００４３】
延長用部材３は、先端側の内周面をこのストッパ５に外嵌させるようにしてシャフト本体２に装着される。また、延長用部材３の六角形部３ａとシャフト本体２の六角形部２ａとを係合させる。延長用部材３のテーパ部３ｂがストッパ５を締め付けることにより、ストッパ５がシャフト本体２の外周面を締め付けるようにして固定される。また、延長用部材３がストッパ５に対して係止される。
【００４４】
この実施の形態のゴルフクラブシャフトでは、図９（ａ）に示す長尺状態、図９（ｂ）に示す中尺状態、図９（ｃ）に示す短尺状態だけでなく、これらの間の任意長さとすることができる。
【００４５】
図７〜９においても、延長用部材の六角形部とシャフト本体２の六角形部２ａとが係合するので、延長用部材の周方向の固定剛性が高い。
【００４６】
図１〜９のいずれのゴルフクラブシャフトにおいても、シャフト本体２は、ストレート部及び後端側ほど大径となるテーパ部並びに最後部の大径の六角形部によって構成されているので、特許文献２のように手許側に応力が集中して手許側が著しくしなることがない。また、美観も良好である。
【００４７】
延長用部材には、ラバー等よりなるグリップ部材が装着される。このグリップ部材は、延長用部材に予め装着されているのが好ましいが、シャフト本体に装着された延長用部材に対しグリップ部材を装着してもよい。
【００４８】
グリップ部材を装着した延長用部材に対しエンドキャップが装着される。図１０（ａ）にグリップ部材及びエンドキャップの一例が示されている。このグリップ部材６は、略円筒形であり、延長用部材３の外周に接着剤又は粘着剤によって装着されている。グリップ部材６の後端は延長用部材３の後端から若干突出している。この突出した部分に、エンドキャップ７が内嵌される。エンドキャップ７はラバー、樹脂又はエラストマー製であり、グリップ部材６に対し密嵌する。エンドキャップ７にはフランジ部７ａが設けられている。図１０（ｂ）の通り、グリップ部材６の後端面にエンドキャップ７のフランジ部７ａが当接する。なお、図１０ではグリップ部材６に対しエンドキャップ７が装着されているが、例えば後述の図１１のように他のグリップ部材に対しても同様にエンドキャップが装着される。
【００４９】
本発明のゴルフクラブシャフトは、ゴルフクラブヘッドのホゼル穴に直に接着剤によって固定されるように用いられてもよく、ゴルフクラブシャフトの先端にアタッチメントを装着しておき、このアタッチメントをゴルフクラブヘッドのホゼル穴に差し込み、ボルト等によってアタッチメントをヘッドに着脱可能に固定するようにしてもよい。
【００５０】
図１０に、かかるアタッチメントの一例が示されている。図１０（ａ）の通り、このアタッチメント８は、シャフト本体２の先端が差し込まれる穴８ａと、先端側の角錐形状部８ｂと、後端側のフランジ部８ｃとを有している。穴８ａにシャフト本体２の先端が差し込まれ、エポキシ系等の接着剤によって固着される。アタッチメント８の先端面にネジ穴が設けられている。
【００５１】
フランジ８ｃの外径は、延長用部材３の先端側の内径（例えば図１のｄ１）よりも小さく、図１０（ｂ）の通り、延長用部材３はアタッチメント８を通り越してシャフト本体２の後端側にまで移動可能である。図１０（ｂ）の通り、延長用部材３をシャフト本体２の後端側に係合させた後、エンドキャップ７を有するグリップ部材を延長用部材３に装着する。
【００５２】
図１１に示す通り、ゴルフクラブのヘッド１０のホゼル部１１の穴の奥側は、角錐形状部８ｂが係合する角錐形状部１２となっている。アタッチメント８をホゼル部１１に差し込み、ボルト１３をアタッチメント８の先端面のネジ穴に締め込み、フランジ部８ｃをホゼル部１１の上端面に押し付けることにより、ゴルフクラブシャフト１をヘッド１０に固定する。なお、ホゼル部１１と同軸状にカラム１４がヘッド１０のソール面まで延設されている。カラム１４の内孔１５の上部に仕切壁部１６が設けられている。ボルト１３は、この仕切壁部１６の開口を通ってアタッチメント８のネジ穴に螺じ込まれる。ボルト１３を取り外すと、ゴルフクラブシャフト１をヘッド１０から取り外すことができ、ヘッド１０に対し別のシャフトを取り付けるシャフト交換が可能である。シャフトにフェルール１８が装着される。
【００５３】
穴８ａの軸心方向をアタッチメント８の軸心方向に対し斜め方向としておくと、シャフト１の周方向の位相を変えることにより、ゴルフクラブのライ角やフェースアングルを調節することができる。穴８ａの軸心方向をアタッチメント８の軸心方向と平行であるが、穴８ａの軸心位置がアタッチメントの軸心位置からずれた構成としておいた場合には、シャフト１の周方向の位相を変えることにより、ゴルフクラブのプログレッションを調節することができる。
【００５４】
なお、シャフトをヘッドに装着するのに先行して、シャフト本体２に延長用部材３を装着しておく。
【００５５】
また、図１０に示した通り、シャフト１をヘッド１０から取り外した後、シャフト本体２の延長用部材３を別の延長用部材に交換することができる。
【００５６】
上記実施の形態は本発明の一例であり、本発明は図示以外の態様とされてもよい。例えば、六角形部は五角形、八角形など他の多角形であってもよい。
【符号の説明】
【００５７】
１，１Ａ〜１Ｆ  ゴルフクラブシャフト
２  シャフト本体
２ａ  六角形部
２ｄ  テーパ部
３，３Ａ〜３Ｆ  延長用部材
３ａ  ストレート部
３ｂ  テーパ部
３ｃ  六角形部
５  ストッパ
５ａ  スリ割り
６  グリップ部材
７  エンドキャップ
８  アタッチメント
１０  ヘッド
１１  ホゼル部
１３  ボルト
【図１】
2015097725.tif 000003
【図２】
2015097725.tif 000004
【図３】
2015097725.tif 000005
【図４】
2015097725.tif 000006
【図５】
2015097725.tif 000007
【図６】
2015097725.tif 000008
【図７】
2015097725.tif 000009
【図８】
2015097725.tif 000010
【図９】
2015097725.tif 000011
【図１０】
2015097725.tif 000012
【図１１】
2015097725.tif 000013